(57)【要約】 【課題】遮音性及び換気性のいずれについても高い性能を備える。【解決手段】本発明に係る遮音扉１において中央扉内空間２３には、Ｖ字状に形成されてなる吸音空間形成材２４を、それらの両端が縦仕切材６ａ，６ｂの対向側面にそれぞれ当接されるように複数段配置してある。吊り元側の縦仕切材６ａには、各分割空間２５が吊り元側扉内空間２１に連通されるように貫通孔２８を形成してあるとともに、取っ手側の縦仕切材６ｂには、各分割空間２５が取っ手側扉内空間２２に連通されるように貫通孔２７を形成してある。面材９ａには、長手方向に沿って吊り元側スリット１２を形成することで、吊り元側扉内空間２１を外部に連通させるとともに、面材９ｂには、長手方向に沿って取っ手側スリット１３を形成することで、取っ手側扉内空間２２を外部に連通させてある。【選択図】  図１
2009243078.tif 000002
【特許請求の範囲】
【請求項１】
矩形状枠体の構面内に該矩形状枠体の長手方向に沿って２本の縦仕切材がほぼ平行に配置されてなる矩形状フレームと、該矩形状フレームの正面及び背面にそれぞれ気密に接合された一対の面材とを備えるとともに、前記２本の縦仕切材のうち、吊り元側の縦仕切材と前記矩形状枠体を構成する吊り元側の縦枠材との間の扉内空間を吊り元側扉内空間、取っ手側の縦仕切材と前記矩形状枠体を構成する取っ手側の縦枠材との間の扉内空間を取っ手側扉内空間、前記２本の縦仕切材の間の扉内空間を中央扉内空間とし、所定の吸音空間形成材をそれらの両端が前記２本の縦仕切材の対向側面にそれぞれ当接されるように前記中央扉内空間に複数段配置することにより、前記中央扉内空間を長手方向に沿って複数の分割空間に区画した遮音扉であって、前記各分割空間が前記吊り元側扉内空間に連通されるように前記吊り元側の縦仕切材に第１の貫通孔を設けるとともに、前記各分割空間が前記取っ手側扉内空間に連通されるように前記取っ手側の縦仕切材に第２の貫通孔を設け、前記面材のうちの一方に長手方向に沿って吊り元側スリットを形成することで前記吊り元側扉内空間を外部に連通させるとともに、他方の面材に長手方向に沿って取っ手側スリットを形成することで前記取っ手側扉内空間を外部に連通させ、前記一対の面材の対向背面及び前記吸音空間形成材の対向側面に吸音材を貼着することにより該吸音材で前記各分割空間を取り囲むようにしたことを特徴とする遮音扉。
【請求項２】
前記面材のうち、少なくともいずれかを板本体及びその裏面に積層された制振材で構成した請求項１記載の遮音扉。
【請求項３】
前記吸音空間形成材をＶ字状に形成した請求項１記載の遮音扉。
【請求項４】
前記吸音空間形成材を直棒状に形成しかつ斜めに配置した請求項１記載の遮音扉。
【発明の詳細な説明】
【技術分野】
【０００１】
本発明は、住宅の居室やトイレといった換気性能と遮音性能の両方が要求される場所に適用される遮音扉に関する。
【背景技術】
【０００２】
住宅の居室やトイレには、健康上あるいは衛生上の理由から所定の換気性能が要求されるが、その一方で、周囲への音漏れやプライバシーの確保にも配慮する必要があり、従来、換気性と遮音性という相反する機能を満たすべく、数多くの提案がなされてきた。
【０００３】
これらのうち、住宅以外の用途で知られているものとしては例えば、一方の面に設けられた開口と他方の面あるいは枠体周面に設けられた開口とを迷路状あるいは曲折状の中空換気通路で連通させるとともに、該中空換気通路の内面に吸音材を配置した換気遮音装置（特許文献１，２）がある。
【０００４】
また、住宅用途としては例えば、一方の面に設けられた開口と他方の面あるいは枠体周面に設けられた開口とを中空換気通路で連通させるとともに、該中空換気通路の内面に吸音材を配置したものや（特許文献３，５）、中空換気通路内を桟材で仕切ったもの（特許文献４）が知られている。
【０００５】
また、、ドア底面の下方の隙間を利用してドア内外間の通気性を高めたものが知られている（特許文献５〜特許文献７）。
【０００６】
ところが、上述した提案のほとんどは実証試験によって作用効果が確認されておらず、各文献記載通りの作用効果を奏するのかどうか、必ずしも明らかではない。
【０００７】
【特許文献１】実開昭６２−７３０９２
【特許文献２】特開平５−３０２３６９
【特許文献３】特開平９−２３５９６０
【特許文献４】特開２００１−２２７２５７
【特許文献５】特開２０００−４５６５１
【特許文献６】特開２００１−１３２３５３
【特許文献７】特開２００１−１３２３５４
【特許文献８】特開２００５−２０７１０７
【特許文献９】特開２００６−５７３８５
【特許文献１０】特開２００６−５７３８６
【特許文献１１】特開２００１−０１２１５８
【特許文献１２】特開２００５−１０５５７９
【発明の開示】
【発明が解決しようとする課題】
【０００８】
このような状況下、本出願人は、矩形状枠体の構面内に該矩形状枠体の短手方向と平行な横材が複数配置された矩形状フレームと、該矩形状フレームの正面及び背面にそれぞれ気密に接合された一対の面板とからなり、前記矩形状枠体及び前記面板で囲まれた扉内空間が前記各横材によって複数の分割空間に区画されてなる遮音扉であって、前記複数の分割空間のうち、前記各横材を介して隣接する分割空間が互いに連通するように該各横材に所定の貫通孔をそれぞれ形成するとともに、前記矩形状枠体のうち、建込み姿勢にて上部に位置する上枠材に上部貫通孔を形成して前記分割空間のうち、最上段の分割空間を外部に連通させ、前記矩形状枠体のうち、建込み姿勢にて下部に位置する下枠材に下部貫通孔を形成して前記分割空間のうち、最下段の分割空間を外部に連通させ、前記各分割空間に前記面板と非平行にかつ建込み状態にて鉛直になるように所定の仕切板を配置して前記各分割空間の空気層の厚みを前記矩形状枠体の短手方向に沿って変化させた遮音扉を開発した（特許文献１２）。
【０００９】
かかる本出願人による発明によれば、JIS A 1417:2000に定められた測定方法で音圧レベル差を測定した結果、扉の防音性能の指標である遮音等級としてＤ−２５をクリアするとともに、トイレの換気に必要となる２０m3/h程度の換気性能を確保できることもわかった。
【００１０】
しかしながら、本出願人の提案をもってしても、換気性能は十分なものではなく、遮音性及び換気性のいずれについても高い性能を備えた遮音扉の開発が待たれているのが現状である。
【課題を解決するための手段】
【００１１】
本発明は、上述した事情を考慮してなされたもので、遮音性及び換気性のいずれについても高い性能を備えた遮音扉を提供することを目的とする。
【００１２】
上記目的を達成するため、本発明に係る遮音扉は請求項１に記載したように、矩形状枠体の構面内に該矩形状枠体の長手方向に沿って２本の縦仕切材がほぼ平行に配置されてなる矩形状フレームと、該矩形状フレームの正面及び背面にそれぞれ気密に接合された一対の面材とを備えるとともに、前記２本の縦仕切材のうち、吊り元側の縦仕切材と前記矩形状枠体を構成する吊り元側の縦枠材との間の扉内空間を吊り元側扉内空間、取っ手側の縦仕切材と前記矩形状枠体を構成する取っ手側の縦枠材との間の扉内空間を取っ手側扉内空間、前記２本の縦仕切材の間の扉内空間を中央扉内空間とし、所定の吸音空間形成材をそれらの両端が前記２本の縦仕切材の対向側面にそれぞれ当接されるように前記中央扉内空間に複数段配置することにより、前記中央扉内空間を長手方向に沿って複数の分割空間に区画した遮音扉であって、前記各分割空間が前記吊り元側扉内空間に連通されるように前記吊り元側の縦仕切材に第１の貫通孔を設けるとともに、前記各分割空間が前記取っ手側扉内空間に連通されるように前記取っ手側の縦仕切材に第２の貫通孔を設け、前記面材のうちの一方に長手方向に沿って吊り元側スリットを形成することで前記吊り元側扉内空間を外部に連通させるとともに、他方の面材に長手方向に沿って取っ手側スリットを形成することで前記取っ手側扉内空間を外部に連通させ、前記一対の面材の対向背面及び前記吸音空間形成材の対向側面に吸音材を貼着することにより該吸音材で前記各分割空間を取り囲むようにしたものである。
【００１３】
また、本発明に係る遮音扉は、前記面材のうち、少なくともいずれかを板本体及びその裏面に積層された制振材で構成したものである。
【００１４】
また、本発明に係る遮音扉は、前記吸音空間形成材をＶ字状に形成したものである。
【００１５】
また、本発明に係る遮音扉は、前記吸音空間形成材を直棒状に形成しかつ斜めに配置したものである。
【００１６】
従来技術の遮音扉においては、それらのほとんどが扉下方と扉上方に空気の出入り口を設けてあるとともに、それらの出入り口を長手方向に沿って連通させてある。そのため、空気の流路となる連通空間が長くなって流体抵抗が大きくなり、換気性能を犠牲にせざるを得ない反面、扉のデザインを優先すれば、空気の出入り口をできるだけ目立たないように扉下方と扉上方に設けぜるを得ないという問題点があった。
【００１７】
本出願人は、かかる点に鑑み、さまざまな観点で研究開発を積み重ねた結果、２つの空気出入り口を扉正面及び扉背面のデザインを兼ねたスリットとして一対の面材にそれぞれ設け、それらの２つの空気出入り口を、短手方向に沿って形成した連通空間を介して相互に連通させることで、遮音性と換気性の両方に高い性能を付与することができるという新たな知見を得たものである。
【００１８】
すなわち、請求項１に係る遮音扉においては、所定の吸音空間形成材を、それらの両端が２本の縦仕切材の対向側面にそれぞれ当接されるように中央扉内空間に複数段配置することにより、中央扉内空間を長手方向に沿って複数の分割空間に区画形成してある。
【００１９】
また、各分割空間が吊り元側扉内空間に連通されるように吊り元側の縦仕切材に第１の貫通孔を設けるとともに、各分割空間が取っ手側扉内空間に連通されるように取っ手側の縦仕切材に第２の貫通孔を設け、長手方向に形成された吊り元側スリットを面材のうちの一方に設けて吊り元側扉内空間を外部に連通させるとともに、長手方向に形成された取っ手側スリットを他方の面材に設けて取っ手側扉内空間を外部に連通させてある。
【００２０】
このようにすると、一方の面材に形成されたスリットを入り口とし、吊り元側扉内空間及び第１の貫通孔を経て、分割空間に流入し、第２の貫通孔及び取っ手側扉内空間を経て他方の面材に形成されたスリットを出口とする流路又はその逆の流路が形成されるとともに、該流路の長さは、連通空間を長手方向に形成していた従来に比べて大幅に短くなるため、空気が流れる際の流路抵抗が小さくなり、換気性能が向上する。
【００２１】
面材は、周波数が比較的低い帯域、例えば１２５Ｈｚ〜５００Ｈｚにおいて板振動が生じるのを抑制する制振材料で形成するのが望ましいが、板本体及びその裏面に積層された制振材で構成した面材を用いてもかまわない。
【００２２】
分割空間に面し該分割空間を取り囲む箇所、すなわち一対の面材の対向背面や吸音空間形成材の対向側面には、周波数が比較的高い帯域、例えば５００Ｈｚ〜４ｋＨｚの振動を吸収する吸音材を貼着するが、吸音空間形成材自体も、ウレタン等で形成した吸音材で形成するのが望ましい。
【００２３】
吸音空間形成材は、それらの一端が２本の縦仕切材の対向側面にそれぞれ当接されるように中央扉内空間に複数段配置されるものであるが、吸音空間形成材がまっすぐな形状でかつ水平に配置される場合だと、各分割空間内の流路長さが最短となり、換気性能は大幅に向上するが、遮音性能を十分に確保できない懸念がある。
【００２４】
そのため、各分割空間内の流路が最短長さとなるような直線的かつ水平方向（短手方向と平行）とならないよう、換言すれば各分割空間内の流路が非直線状又は非水平方向となるように、吸音空間形成材を構成し又は配置するのが望ましい。
【００２５】
このようにすれば、空気の流路が過度に短縮されるのを防止することが可能となり、空気流路の短縮による換気性能の向上と、流路長さの確保による遮音性能の確保をうまくバランスさせ、確実に両立させることができる。
【００２６】
各分割空間内の流路が非直線状又は非水平方向となるような具体的構成としては、吸音空間形成材をＶ字状又は逆Ｖ字状に形成する構成や、吸音空間形成材を直棒状に形成しかつ斜めに配置する構成が考えられる。また、吸音空間形成材を鋸状あるいは波状に形成してこれを水平に複数段配置するといった配置形態であってもかまわない。
【００２７】
ここで、吸音空間形成材をＶ字状に形成したならば、第１の貫通孔と第２の貫通孔とを結ぶ経路に沿って音が直線的に伝播するのを回避することが可能となり、遮音性を向上させやすくなる。この場合、吸音空間形成材は、第１の貫通孔と第２の貫通孔とが見通せないようにＶ字の角度を決定すればよい。
【発明を実施するための最良の形態】
【００２８】
以下、本発明に係る遮音扉の実施の形態について、添付図面を参照して説明する。なお、従来技術と実質的に同一の部品等については同一の符号を付してその説明を省略する。
【００２９】
図１は、本実施形態に係る遮音扉を示した分解斜視図、図２は断面図、図３は正面図、図４は背面図である。これらの図でわかるように、本実施形態に係る遮音扉１は、矩形状フレーム８と、該矩形状フレームの正面及び背面にそれぞれ気密に接合された一対の面材９ａ，９ｂとを備える。
【００３０】
面材９ａ，９ｂは、板本体１０及びその裏面に積層された制振材１１で構成してあり、板本体１０は、中質繊維板(MDF)に化粧材を積層して構成することができる。また、制振材１１は、例えば市販されている不織布付きゴムシートを用いることができる。
【００３１】
矩形状フレーム８は、吊り元側に位置する縦枠材２ａ、取っ手側に位置する縦枠材２ｂ、これらの上端を連結する上枠材３ａ及びこれらの下端を連結する下枠材３ｂからなる矩形状枠体４と、該矩形状枠体の構面内にその短手方向と平行になるように配置された２本の横仕切材５ａ，５ｂと、該横仕切材の間であって矩形状枠体の構面内にその長手方向と平行になるように配置された２本の縦仕切材６ａ，６ｂとで構成してあり、横仕切材５ａ，５ｂは、矩形状フレーム８の剛性を高めることができるようになっている。
【００３２】
矩形状フレーム８で囲まれた扉内空間として、吊り元側の縦仕切材６ａと吊り元側の縦枠材２ａとの間には吊り元側扉内空間２１が、取っ手側の縦仕切材６ｂと取っ手側の縦枠材２ｂとの間には取っ手側扉内空間２２が、縦仕切材６ａ，６ｂの間には中央扉内空間２３がそれぞれ形成されている。
【００３３】
ここで、中央扉内空間２３には、Ｖ字状に形成されてなる吸音空間形成材２４を、それらの両端が縦仕切材６ａ，６ｂの対向側面にそれぞれ当接されるように複数段配置してあり、かかる配置構成によって、中央扉内空間２３を長手方向に沿って複数の分割空間２５に区画してある。
【００３４】
吊り元側の縦仕切材６ａには、各分割空間２５が吊り元側扉内空間２１に連通されるように、第１の貫通孔としての貫通孔２８を形成してあるとともに、取っ手側の縦仕切材６ｂには、各分割空間２５が取っ手側扉内空間２２に連通されるように、第２の貫通孔としての貫通孔２７を形成してある。
【００３５】
また、面材９ａには、長手方向に沿って吊り元側スリット１２を形成することで、吊り元側扉内空間２１を外部に連通させるとともに、面材９ｂには、長手方向に沿って取っ手側スリット１３を形成することで、取っ手側扉内空間２２を外部に連通させてある。
【００３６】
取っ手側スリット１３は、例えばスリット奥にＬ型化粧材を嵌め込むとともに、スリット開口縁部に化粧モールをめぐらせておくことで、廊下側からの美観に配慮しておくのが望ましい。
【００３７】
一方、一対の面材９ａ，９ｂの対向背面及び吸音空間形成材２４の対向側面のうち、各分割空間２５を取り囲む面には、図５に示すように吸音材３１を貼着してある。なお、図１及び図２は、便宜上、吸音材３１の表示を省略した。
【００３８】
吸音材３１は図５でよくわかるように、上下に位置する吸音空間形成材２４，２４の下面と上面、及び面材９ａ，９ｂの各裏面に貼着されるので、その配置形状はＶ字ボックス状となる。
【００３９】
吸音材３１は、公知のものから適宜選択すればよいが、例えばＰＥＴ繊維で製造された吸音材を採用することができる。
【００４０】
本実施形態に係る遮音扉１においては、Ｖ字状に形成されてなる吸音空間形成材２４を、それらの両端が縦仕切材６ａ，６ｂの対向側面にそれぞれ当接されるように中央扉内空間２３に複数段配置することにより、該中央扉内空間を長手方向に沿って複数の分割空間２５に区画形成するとともに、各分割空間２５が吊り元側扉内空間２１と取っ手側扉内空間２２に連通されるよう、吊り元側の縦仕切材６ａには貫通孔２８を、取っ手側の縦仕切材６ｂには貫通孔２７をそれぞれ設け、吊り元側スリット１２を面材９ａに設けて吊り元側扉内空間２１を外部に連通させるとともに、取っ手側スリット１３を面材９ｂに設けて取っ手側扉内空間２２を外部に連通させてある。
【００４１】
このようにすると、面材９ａに形成された吊り元側スリット１２を入り口とし、吊り元側扉内空間２１及び貫通孔２８を経て分割空間２５に流入し、貫通孔２７及び取っ手側扉内空間２２を経て面材９ｂに形成された取っ手側スリット１３を出口とする空気流路又はその逆の空気流路が形成される。
【００４２】
図６は、居室又はトイレと廊下とを隔てる間仕切り壁６２の扉開口に本実施形態に係る遮音扉１を設け、居室又はトイレの換気扇を作動させて内側（同図では上側）を負圧にしたときの空気の流れを示したものである。
【００４３】
この場合、居室やトイレが負圧となっているため、空気は、同図矢印で示すようにまず、面材９ａに形成された吊り元側スリット１２から吊り元側扉内空間２１へと流入し、続いて貫通孔２８から各分割空間２５に流入し、貫通孔２７を経て取っ手側扉内空間２２に流入した後、取っ手側スリット１３から居室又はトイレへと流出する。ここで、空気流路の長さは、扉の短手方向長さと同等なので、十分な換気性能が確保される。なお、遮音扉１は、公知の扉と同様、蝶番６１によって間仕切り壁６２に取り付けられる。
【００４４】
一方、居室やトイレで発生した音のうち、低周波成分については、面材９ａ，９ｂの制振材１１で板振動が抑制されるとともに、高周波成分については、各分割空間２５を取り囲むように配置された吸音材３１で吸音される。すなわち、取っ手側スリット１３から取っ手側扉内空間２２に入った音は、貫通孔２７を介して各分割空間２５に入った後、Ｖ字状の分割空間２５を取り囲むように配置された吸音材３１に吸収されるとともに、取っ手側スリット１３、取っ手側扉内空間２２、貫通孔２７、貫通孔２８及び吊り元側スリット１２を流れるときの摩擦抵抗によって減衰し、かくして十分な遮音性能が確保される。
【００４５】
以上説明したように、本実施形態に係る遮音扉１によれば、空気流路の長さは、連通空間を長手方向に形成していた従来に比べ、大幅に短くなって抵抗が小さくなり、換気性能が大幅に向上する。加えて、扉周囲、特に扉と床との間に隙間を設けるいわゆるアンダーカットをする必要がなくなるため、居室やトイレからの光漏れを防ぐことも可能となる。
【００４６】
また、本実施形態に係る遮音扉１によれば、Ｖ字状の吸音空間形成材２４によって分割空間２５が形成されているため、空気流路長さの過度な短縮が防止されるとともに、音を直線的に伝播させることなく、分割空間２５を取り囲む吸音材３１にぶつけて吸収させることが可能となり、かくして遮音性も十分に確保することができる。
【００４７】
本実施形態では、吸音空間形成材としてＶ字状の吸音空間形成材２４を採用したが、本発明に係る吸音空間形成材はかかる構成に限定されるものではなく、図７に示すように、縦仕切材６ｂへの接合端よりも縦枠材６ａへの接合端が低くなるように、直棒状の吸音空間形成材２４ａを斜め配置するようにしてもよい。
【００４８】
かかる構成においても、後述するように上述した実施形態と同様の作用効果を奏する。
【００４９】
また、本実施形態では、矩形状枠体４の構面内にその短手方向と平行になるように２本の横仕切材５ａ，５ｂを配置し、該横仕切材の間に２本の縦仕切材６ａ，６ｂを配置したが、横仕切材５ａ，５ｂは、本発明に係る遮音扉の剛性を高めるためであって、遮音性と換気性の確保とは基本的に関係のない構成要素であり、建具として剛性を確保できるのであれば、横仕切材５ａ，５ｂのうち、いずれか一方でかまわないし、場合によっては両方を省略してもかまわない。
【００５０】
かかる変形例の場合、２本の縦仕切材は、それらの上端を上枠材の下面に接合し若しくはそれらの下端を下枠材の上面に接合するか、又はそれらの上端を上枠材の下面にかつそれらの下端を下枠材の上面にそれぞれ接合することとなる。
【実施例】
【００５１】
（試験用扉の仕様）
【００５２】
図８に試験用扉（試験体Ａ）、図９に試験用扉（試験体Ｂ）の正面図（手前の面材を省略した状態）をそれぞれ示す。
【００５３】
これらの図でわかるように、両試験体は、試験体Ａが、横仕切材５ｂに相当する横仕切材だけを組み込み、横仕切材５ａに相当する横仕切材を省略してあるのに対し、試験体Ｂは、横仕切材５ａに相当する横仕切材も組み込んである点が相違する。
【００５４】
いずれの試験体も、幅を７０５ｍｍ、高さを１，９８５ｍｍ、厚みを３６ｍｍとし、試験体Ａの吊り元側スリットを１０ｍｍ×１，４７５ｍｍ、試験体Ｂの吊り元側スリットを１０ｍｍ×１，４２５ｍｍ、試験体Ａの取っ手側スリットを１２ｍｍ×１，７５４ｍｍ、試験体Ｂの取っ手側スリットを１２ｍｍ×１，４２５ｍｍとした。
【００５５】
吸音空間形成材はＶ字状とするとともに、吸音材は４ｍｍのＰＥＴ樹脂を用いて図５と同様に配置した。Ｖ字状の吸音空間形成材は、水平軸に対して３０度の角度をなすように製作した。制振材は、厚さ１ｍｍの不織布付きゴムシートを用い、板本体は、厚さ３ｍｍのＭＤＦを用いた。
【００５６】
（遮音性の確認試験）
【００５７】
遮音試験は以下の手順で行った。まず、試験用扉が取り付けられた居室内に、音源であるスピーカ及び音源側のマイクロフォンを設置するとともに、居室外であって試験用扉近傍にも受音側のマイクロフォンを設置した。
【００５８】
なお、スピーカは居室の奥側のコーナーに向かって４５度方向で、斜め上向きとなるように設置し、音源側のマイクロフォンは、居室内に均一に５個設置するとともに、受音側のマイクロフォンは、試験用扉から２５０ｍｍ離れた位置に均一に５個設置した。
【００５９】
次に、スピーカから様々な周波数の音を発生させ、居室内に設置した音源側のマイクロフォン及び居室外に設置した受音側のマイクロフォンでそれぞれ音圧レベルを測定した。なお、発生させる音の周波数は、１２５，２５０，５００，１Ｋ，２Ｋ，４Ｋ（Hz）とした。
【００６０】
次に、各マイクロフォンの測定結果から音源側である居室内と受音側である居室外との間の音圧レベル差（dB）を求めた。なお、測定は、JIS A 1417:2000  建築物の空気遮断性能の測定方法  付属書２（規定）特定場所間音圧レベル差の測定方法に準じて行った。
【００６１】
図１０は、かかる測定から得られた居室内と居室外との間の音圧レベル差を示したグラフである。同図でわかるように、試験用扉の音圧レベル差は、１２５Hzで１８〜１９dB、２５０Hzで２２dB、５００Hzで２４dB、１ＫHzで２７〜２８dB、２ＫHzで２７〜２８dB、４ＫHzで２８〜３１dBとなり、遮音等級Ｄ−２５（同図一点鎖線で表示）をクリアできることがわかった。また、横仕切材を上下段に設けた試験体Ｂの方が、下段にのみ設けた試験体Ａよりも、遮音性能が高いことがわかった。
【００６２】
なお、吊り元側扉内空間を形成せずに吊り元側縦枠材を吊り元側縦仕切材に抱き合わせるとともに吊り元側スリットを非形成とし、それに代えて、吊り元側縦枠材にも吊り元側縦仕切材と同様の貫通孔を形成することで、扉の吊り元側小口に空気の出入り口を設けた例を参考試験体として示した。
【００６３】
（換気性の確認試験）
【００６４】
換気性を把握するために、JIS A1516-1998「建具の気密試験方法」に記される測定方法に準じた測定を行い、相当隙間面積（αＡ）を求めた。測定は、同じくJIS A1516-1998「建具の気密試験方法」に規定されている動風圧試験装置を用いて行った。
【００６５】
測定の結果、以下に記される相当隙間面積を有することを確認した。
【００６６】
正圧（開き側への加圧）  αＡ=４９．４ｃｍ2
負圧（閉じ側への加圧）  αＡ=４８．５ｃｍ2
【図面の簡単な説明】
【００６７】
【図１】本実施形態に係る遮音扉の分解斜視図。
【図２】本実施形態に係る遮音扉の図であり、(a)は手前の面材を除外した状態の正面図、(b)はＡ−Ａ線方向に沿う鉛直断面図、(c)はＢ−Ｂ線方向に沿う鉛直断面図。
【図３】本実施形態に係る遮音扉の正面図。
【図４】本実施形態に係る遮音扉の背面図。
【図５】吸音材の配置状況を示した図であり、(a)は斜視図、(b)は鉛直断面図。
【図６】空気の流れを示した遮音扉の横断面図。
【図７】変形例に係る遮音扉の正面図。
【図８】試験体Ａの正面図。
【図９】試験体Ｂの正面図。
【図１０】遮音性能を示したグラフ。
【符号の説明】
【００６８】
１                            遮音扉
２ａ，２ｂ                    縦枠材
３ａ                          上枠材
３ｂ                          下枠材
４                            矩形状枠体
５ａ，５ｂ                    横仕切材
６ａ，６ｂ                    縦仕切材
８                            矩形状フレーム
９ａ，９ｂ                    面材
１１                          制振材
１２                          吊り元側スリット
１３                          取っ手側スリット
２１                          吊り元側側扉内空間
２２                          取っ手側扉内空間
２３                          中央扉内空間
２４，２４ａ                  吸音空間形成材
２５                          分割空間
２８                          貫通孔（第１の貫通孔）
２７                          貫通孔（第２の貫通孔）
３１                          吸音材
【図１】
2009243078.tif 000003
【図２】
2009243078.tif 000004
【図３】
2009243078.tif 000005
【図４】
2009243078.tif 000006
【図５】
2009243078.tif 000007
【図６】
2009243078.tif 000008
【図７】
2009243078.tif 000009
【図８】
2009243078.tif 000010
【図９】
2009243078.tif 000011
【図１０】
2009243078.tif 000012